(57)【要約】【課題】注文受付端末を変更することなく、注文情報を表示するための表示装置をシステムに追加することができる注文管理装置、装着ボードおよびこれらを備えた注文管理システム並びに注文管理装置の制御方法およびプログラムを提供する。【解決手段】注文受付端末および表示装置に接続されて用いられる注文管理装置（装着ボード６Ａ）であって、注文受付端末から、注文票を印刷するためのデータであって、注文者を識別する識別コードおよび注文内容を示す注文情報を含む印刷データを取得する印刷データ取得部（コントローラＩ／Ｆ部１１）と、取得した印刷データから、識別コードおよび１以上の注文情報を抽出し、各注文情報を識別コードごとに分類して、表示装置に表示するための表示データを生成する表示データ生成部２１と、生成した表示データを、表示装置に出力する表示データ出力部（ディスプレイＩ／Ｆ部１２）と、を備えた。【選択図】図１
2014160511.tif 000002
【特許請求の範囲】
【請求項１】
注文受付端末および表示装置に接続されて用いられる注文管理装置であって、
前記注文受付端末から、注文票を印刷するためのデータであって、注文者を識別する識別コードおよび注文内容を示す注文情報を含む印刷データを取得する印刷データ取得部と、
取得した前記印刷データから、前記識別コードおよび１以上の前記注文情報を抽出し、各注文情報を前記識別コードごとに分類して、前記表示装置に表示するための表示データを生成する表示データ生成部と、
生成した前記表示データを、前記表示装置に出力する表示データ出力部と、を備えたことを特徴とする注文管理装置。
【請求項２】
前記印刷データ取得部が前記印刷データを取得した取得時刻からの経過時間を計測する時間計測部と、
前記表示装置の表示制御を行う表示制御部と、をさらに備え、
前記表示制御部は、前記表示データに基づいて表示される各注文情報に、前記取得時刻および前記経過時間を関連付けて表示することを特徴とする請求項１に記載の注文管理装置。
【請求項３】
前記注文受付端末は、料理の注文を受付けるための端末であり、
前記表示装置は、タッチパネル画面を有するキッチンディスプレイであり、
前記表示制御部は、前記タッチパネル画面に、各注文情報に対して調理終了操作するための調理終了ボタンを関連付けて表示すると共に、前記表示装置から、前記調理終了ボタンの操作信号を取得した場合、当該調理終了ボタンを非表示にすること特徴とする請求項２に記載の注文管理装置。
【請求項４】
印刷装置にさらに接続されて用いられ、
同じ前記識別コードに分類されたすべての前記注文情報に対して前記調理終了ボタンが押下された場合、当該識別コードおよび当該注文情報を含んだ前記印刷データを、前記印刷装置に出力する印刷データ出力部をさらに備えたことを特徴とする請求項３に記載の注文管理装置。
【請求項５】
前記表示制御部は、各注文情報に対して調理状況を示す調理状況情報を関連付けて表示し、前記調理終了ボタンの操作信号を取得した場合、当該調理状況情報の表示を変化させることを特徴する請求項３または４に記載の注文管理装置。
【請求項６】
前記表示装置は、調理内容に応じて複数接続され、
前記表示データ生成部は、各注文情報を前記調理内容ごとに分類して、各表示装置に表示するための調理別表示データを生成し、
前記表示データ出力部は、前記調理別表示データを、対応する前記表示装置に出力することを特徴とする請求項１ないし５のいずれか１項に記載の注文管理装置。
【請求項７】
請求項４に記載の注文管理装置として機能し、
前記印刷装置に装着されて用いられることを特徴とする装着ボード。
【請求項８】
請求項１ないし６のいずれか１項に記載の注文管理装置として機能し、
前記表示装置に装着されて用いられることを特徴とする装着ボード。
【請求項９】
請求項７に記載の装着ボードが装着された印刷装置と、
前記注文受付端末と、
前記表示装置と、を備えたことを特徴とする注文管理システム。
【請求項１０】
請求項１、２、３、５、６のいずれか１項に記載の注文管理装置と、
前記注文受付端末と、
前記表示装置と、を備えたことを特徴とする注文管理システム。
【請求項１１】
注文受付端末および表示装置に接続されて用いられる注文管理装置の制御方法であって、
前記注文管理装置が、
前記注文受付端末から、注文票を印刷するためのデータであって、注文者を識別する識別コードおよび注文内容を示す注文情報を含む印刷データを取得する印刷データ取得ステップと、
取得した前記印刷データから、前記識別コードおよび１以上の前記注文情報を抽出し、各注文情報を前記識別コードごとに分類して、前記表示装置に表示するための表示データを生成する表示データ生成ステップと、
生成した前記表示データを、前記表示装置に出力する表示データ出力ステップと、を実行することを特徴とする注文管理装置の制御方法。
【請求項１２】
コンピューターに、請求項１１に記載の注文管理装置の制御方法における各ステップを実行させるためのプログラム。
【発明の詳細な説明】
【技術分野】
【０００１】
本発明は、注文情報を管理する注文管理装置、装着ボードおよびこれらを備えた注文管理システム並びに注文管理装置の制御方法およびプログラムに関するものである。
【背景技術】
【０００２】
従来、コントローラ（注文受付端末）が、発券機から取得した注文情報に所定の処理を施し、ディスプレイを有したキッチンプリンターに送信する発券機オーダーエントリーシステムが知られている（特許文献１参照）。当該キッチンプリンターは、取得した注文情報をディスプレイに表示し、調理済みの品物に貼付するためのシールを印刷する。
当該システムによれば、顧客の発券機操作に基づく注文情報がダイレクトにキッチンに伝わるため、混雑時における品物の提供時間を短縮すると共に、顧客の回転率の向上が可能となる。
【先行技術文献】
【特許文献】
【０００３】
【特許文献１】特開平０６−１０３２８５号公報
【発明の概要】
【発明が解決しようとする課題】
【０００４】
ところで、飲食店等の店舗におけるキッチンの拡張やカウンターの配置変更等、または、顧客へ注文情報を提示するために、上記のようなシステムに、注文情報を表示する表示装置をさらに追加したいという要望がある。この場合、表示装置を追加するために、コントローラ（注文受付端末）を含めたシステム全体を交換する必要があり、コストがかかるという問題がある。
【０００５】
本発明は、上記の点に鑑み、注文受付端末を変更することなく、注文情報を表示するための表示装置をシステムに追加することができる注文管理装置、装着ボードおよびこれらを備えた注文管理システム並びに注文管理装置の制御方法およびプログラムを提供することを課題とする。
【課題を解決するための手段】
【０００６】
本発明の注文管理装置は、注文受付端末および表示装置に接続されて用いられる注文管理装置であって、注文受付端末から、注文票を印刷するためのデータであって、注文者を識別する識別コードおよび注文内容を示す注文情報を含む印刷データを取得する印刷データ取得部と、取得した印刷データから、識別コードおよび１以上の注文情報を抽出し、各注文情報を識別コードごとに分類して、表示装置に表示するための表示データを生成する表示データ生成部と、生成した表示データを、表示装置に出力する表示データ出力部と、を備えたことを特徴とする。
【０００７】
本発明の注文管理装置の制御方法は、注文受付端末および表示装置に接続されて用いられる注文管理装置の制御方法であって、注文管理装置が、注文受付端末から、注文票を印刷するためのデータであって、注文者を識別する識別コードおよび注文内容を示す注文情報を含む印刷データを取得する印刷データ取得ステップと、取得した印刷データから、識別コードおよび１以上の注文情報を抽出し、各注文情報を前記識別コードごとに分類して、前記表示装置に表示するための表示データを生成する表示データ生成ステップと、生成した表示データを、表示装置に出力する表示データ出力ステップと、を実行することを特徴とする。
【０００８】
これらの構成によれば、注文管理装置が、注文受付端末が生成した印刷データから、表示装置に表示する表示データを生成するため、注文受付端末の構成を変更することなくシステムに表示装置を追加することができる。また、注文管理装置が生成する表示データは、注文者ごとに注文情報が分類されるため、注文者を示す識別コードを、例えば、飲食店等における客テーブルごとの識別コードとすれば、表示装置によりテーブルごとの注文情報を確認することができる。
【０００９】
この場合、印刷データ取得部が印刷データを取得した取得時刻からの経過時間を計測する時間計測部と、表示装置の表示制御を行う表示制御部と、をさらに備え、表示制御部は、表示データに基づいて表示される各注文情報に、取得時刻および経過時間を関連付けて表示することが好ましい。
【００１０】
この構成によれば、表示装置により、各注文情報の取得時刻および取得時刻からの経過時間を確認することができる。また、経過時間の表示により注文された品物の提供時間を可視化することで、注文品物に対する作業の効率化を促すことができる。
【００１１】
また、注文受付端末は、料理の注文を受付けるための端末であり、表示装置は、タッチパネル画面を有するキッチンディスプレイであり、表示制御部は、タッチパネル画面に、各注文情報に対して調理終了操作するための調理終了ボタンを関連付けて表示すると共に、表示装置から、調理終了ボタンの操作信号を取得した場合、当該調理終了ボタンを非表示にすることが好ましい。
【００１２】
この構成によれば、調理終了ボタンの表示および非表示によって、各注文情報が調理済みか否かを容易に確認することができる。このため、注文情報の数が多い場合や調理者が複数いる場合に、重複調理を防止することができる。
【００１３】
この場合、印刷装置にさらに接続されて用いられ、同じ識別コードに分類されたすべての注文情報に対して調理終了ボタンが押下された場合、当該識別コードおよび当該注文情報を含んだ印刷データを、印刷装置に出力する印刷データ出力部をさらに備えていることが好ましい。
【００１４】
この構成によれば、１つの識別コードに分類された注文情報についてすべて調理が終了した時点で、自動的に注文票を印刷することができる。これにより、調理者だけでなく料理を配膳する配膳者も、当該識別コードのすべての料理が調理終了したことを確認することができる。
【００１５】
これらの場合、表示制御部は、各注文情報に対して調理状況を示す調理状況情報を関連付けて表示し、調理終了ボタンの操作信号を取得した場合、当該調理状況情報の表示を変化させることが好ましい。
【００１６】
この構成によれば、例えば、調理終了ボタンが押下されていない間は、「調理中です」という調理状況情報を表示し、調理終了ボタンが押下された後は、「調理が終了しました」という調理状況情報を表示するようにすれば、調理状況を明確に知らせることができる。なお、当該表示装置は、客に注文情報を提示するための表示装置でもよい。
【００１７】
また、表示装置は、調理内容に応じて複数接続され、表示データ生成部は、各注文情報を調理内容ごとに分類して、各表示装置に表示するための調理別表示データを生成し、表示データ出力部は、調理別表示データを、対応する表示装置に出力することが好ましい。
【００１８】
この構成によれば、表示装置を各調理内容の調理を行う調理場所に設置すれば、当該調理場所で調理を行う料理を示す注文情報のみが表示されるため、調理者は、現在どの料理の調理をすればいいのかを迅速に確認することが出来る。
【００１９】
本発明の装着ボードは、上記の注文管理装置として機能し、印刷装置に装着されて用いられることを特徴とする。
【００２０】
本発明の装着ボードは、上記の注文管理装置として機能し、表示装置に装着されて用いられることを特徴とする。
【００２１】
これらの構成によれば、印刷装置または表示装置周りの省スペース化を実現することができる。
【００２２】
本発明の注文管理システムは、上記の装着ボードが装着された印刷装置と、注文受付端末と、表示装置と、を備えたことを特徴とする。
【００２３】
この構成によれば、注文受付端末の構成を変更することなく表示装置を追加することのできる注文受付システムを実現することができる。
【００２４】
本発明の他の注文管理システムは、上記の注文管理装置と、注文受付端末と、表示装置と、を備えたことを特徴とする。
【００２５】
この構成によれば、紙媒体（注文票）を必要としないペーパーレスの注文管理システムを実現することができる。
【００２６】
本発明のプログラムは、コンピューターに、上記の注文管理装置の制御方法における各ステップを実行させることを特徴とする。
【００２７】
この構成によれば、注文受付端末の構成を変更することなく表示装置を追加する注文受付システムを実現可能なプログラムを提供することができる。
【図面の簡単な説明】
【００２８】
【図１】第１実施形態に係る注文管理システムの構成を示すブロック図である。
【図２】表示データ生成処理を示すフローチャートである。
【図３】キッチンディスプレイに対する表示処理を示すフローチャートである。
【図４】店内ディスプレイに対する表示処理を示すフローチャートである。
【図５】各ディスプレイに対する表示終了処理を示すフローチャートである。
【図６】キッチンディスプレイに表示する表示画面の一例である。
【図７】店内ディスプレイに表示する表示画面の一例である。
【図８】第２実施形態に係る注文管理システムの構成を示すブロック図である。
【図９】ホストキッチンディスプレイに表示する表示画面の一例である。
【発明を実施するための形態】
【００２９】
以下、添付の図面を参照して、本発明の各実施形態にかかる注文管理装置およびこれを備えた注文管理システムについて説明する。本実施形態の注文管理装置およびこれを備えた注文管理システムは、飲食店において配膳者が受けた注文、および当該注文に対する調理を管理するために使用されるものである。
【００３０】
［第１実施形態］
図１ないし図７を参照して、本発明の第１実施形態について説明する。本実施形態では、本発明の注文管理装置として、印刷装置であるキッチンプリンターに装着された装着ボードを例示する。
【００３１】
図１は、本実施形態に係る注文管理システムＳＹ１の構成を示したブロック図である。図示のように、注文管理システムＳＹ１は、オーダー入力端末１と、オーダーコントローラ２と、キッチンプリンター３と、複数のキッチンディスプレイ４ａ，４ｂ，４ｃと、店内ディスプレイ５と、キッチンプリンター３に装着された装着ボード６Ａと、を備えている。
【００３２】
オーダー入力端末１およびオーダーコントローラ２、オーダーコントローラ２およびキッチンプリンター３に装着されている装着ボード６Ａは、店内ＬＡＮ等のネットワークＮＴ１，ＮＴ２により接続されている。一方、装着ボード６Ａと、キッチンディスプレイ４ａ，４ｂ，４ｃおよび店内ディスプレイ５とは、それぞれ独立したインターフェース（例えば、ＵＳＢ（Universal  Serial  Bus）インターフェース）を介して接続されている。
【００３３】
なお、請求項にいう「注文受付端末」とは、オーダー入力端末１およびオーダーコントローラ２を指す。また、請求項にいう「表示装置」とは、キッチンディスプレイ４ａ，４ｂ，４ｃおよび店内ディスプレイ５を指す。
【００３４】
オーダー入力端末１は、配膳者が個々に携帯し、注文内容およびテーブル番号を入力するためのものである。オーダー入力端末１は、注文内容およびテーブル番号が入力されると、各注文内容を示す注文情報とテーブル番号（注文者）を示す識別コードとを、オーダーコントローラ２に送信する。なお、オーダー入力端末１は、レジカウンターに設置されたＰＯＳ端末と一体型の入力装置や、顧客が直接操作する券売機等により構成してもよい。この場合は、会計処理時に顧客（注文者）を示す識別コードを店員の操作によって、または自動的に入力することが好ましい。また、本実施形態では、識別コードとテーブル番号とが一致するものとする。
【００３５】
オーダーコントローラ２は、例えば、店舗のバックヤードに設置され、オーダー入力端末１から取得した注文情報と識別コードから、注文票を印刷するための印刷データを生成し、生成した印刷データをキッチンプリンター３に出力する。印刷データには、店舗情報、日時情報、識別コード、注文情報、金額情報等が含まれている。なお、店舗情報を示す画像データ、金額情報および注文票の印刷レイアウトは、オーダーコントローラ２が予め記憶しているものとする。なお、オーダーコントローラ２を、ＰＯＳ端末で構成しても良い。
【００３６】
キッチンプリンター３は、注文票を印刷するためのものであり、例えば、店舗の配膳カウンターに設置されている。キッチンプリンター３は、着脱可能に取り付けられた装着ボード６Ａと、印刷機能を成すプリンター本体７と、を有している。
【００３７】
装着ボード６Ａは、オーダーコントローラ２から印刷データを入力するためのコントローラＩ／Ｆ部１１（印刷データ取得部）と、キッチンプリンター３に印刷データを出力するためのプリンターＩ／Ｆ部１２（印刷データ出力部）と、キッチンディスプレイ４ａ，４ｂ，４ｃおよび店内ディスプレイ５に表示データを出力するためのディスプレイＩ／Ｆ部１３（表示データ出力部）と、時間計測部１４と、表示用メモリー１５と、入出力制御部１６と、を備えている。
【００３８】
時間計測部１４は、いわゆるＲＴＣ（リアルタイムクロック：real  time  clock）であり、現在時刻を計時する。本実施形態では、時間計測部１４が計測した各注文情報の取得時刻および取得時刻からの経過時間が、入出力制御部１６によって読み出される。
【００３９】
表示用メモリー１５は、各ディスプレイの表示に必要なデータを記憶している。具体的には、キッチンディスプレイ４ａ，４ｂ，４ｃおよび店内ディスプレイ５の画像レイアウト、キッチンディスプレイ４ａ，４ｂ，４ｃに表示する調理終了ボタン３５の画像データ、店内ディスプレイ５に表示する調理状況を示す調理状況情報、注文情報の調理別テーブルを記憶している。調理状況情報は、「調理中です」および「調理が終了しました」の２種類の情報を有し、調理別テーブルは、全注文情報が「和食」「洋食」「中華」のいずれかの調理内容に分類されテーブル化されたものである。
【００４０】
入出力制御部１６は、プリンター本体７、キッチンディスプレイ４ａ，４ｂ，４ｃおよび店内ディスプレイ５の入出力制御を行うもので、各ディスプレイに表示する表示データを生成する表示データ生成部２１と、表示データ生成部２１が生成した表示データに後述の処理を施すキッチン用表示処理部２２および店内用表示処理部２３と、を有している。なお、請求項にいう「表示制御部」とは、キッチン用表示処理部２２および店内用表示処理部２３を指す。
【００４１】
表示データ生成部２１は、取得した印刷データから、キッチンディスプレイ４ａ，４ｂ，４ｃに表示するキッチン用表示データと、店内ディスプレイ５に表示する店内用表示データと、を生成する。具体的には、印刷データに含まれる識別コードおよび注文情報を抽出して、識別コードや調理内容別に注文情報を分類する。また、１日に取得した注文情報を記憶した記憶部（図示省略）を参照し、各注文情報の取得回数を集計して、ランキングデータを生成する（図７参照）。なお、表示データ生成処理については後に詳述する。
【００４２】
キッチン用表示処理部２２は、表示データ生成部２１が生成したキッチン用表示データに対して各キッチンディスプレイ４ａ，４ｂ，４ｃに表示させるための処理を行う。具体的には、キッチン用表示データに含まれる注文情報に対して、時間計測部１４が計測した注文情報の取得時刻および取得時刻からの経過時間（以下、取得時間情報という）および調理終了ボタン３５を関連付ける（図６参照）。また、キッチンディスプレイ４ａ，４ｂ，４ｃから、調理終了ボタン３５の操作信号を受信すると、調理終了ボタン３５を非表示にする、または、注文情報の表示を消去する。
【００４３】
店内用表示処理部２３は、表示データ生成部２１が生成した店内用表示データに対して店内ディスプレイ５に表示させるための処理を行う。具体的には、店内用表示データに含まれる注文情報に対して、取得時間情報、調理状況情報および調理中品数を関連付ける（図７参照）。また、キッチンディスプレイ４ａ，４ｂ，４ｃから、調理終了ボタン３５の操作信号を受信すると、調理状況情報および調理中品数の表示を変更させる、または、注文情報の表示を消去する。なお、調理中品数とは、同じ識別コードに分類されている注文情報が示す注文品のうち、調理中である品数であり、キッチン用表示処理部２２による識別コードに対する調理終了ボタン３５の表示数で算出することができる。なお、各ディスプレイに対する表示処理については、後に詳述する。
【００４４】
プリンター本体７は、入出力制御部１６からの制御信号にしたがって、取得した印刷データに基づいた注文票を印刷する。注文票には、店舗情報、日時情報、識別コード、注文情報、金額情報等が印刷されている。注文票は、注文品の配膳がすべて完了したテーブルに配布され、会計処理に使用される。
【００４５】
キッチンディスプレイ４ａ，４ｂ，４ｃは、各調理内容に対応しており、各調理が行われる調理場所に設置されている。本実施形態では、キッチンディスプレイ４ａは洋食調理場所に設置され、「洋食」に分類された注文情報を含むキッチン用表示データに基づいた画面を表示する。キッチンディスプレイ４ｂは、和食調理場所に設置され、「和食」に分類された注文情報を含むキッチン用表示データに基づいた画面を表示する。キッチンディスプレイ４ｃは、中華料理調理場所に設置され、「中華」に分類された注文情報を含むキッチン用表示データに基づいた画面を表示する。また、各キッチンディスプレイ４ａ，４ｂ，４ｃは、それぞれタッチパネル画面３０ａ，３０ｂ，３０ｃを有し、調理終了ボタン３５を調理者が押下操作できるようになっている（いずれも図６参照）。
【００４６】
店内ディスプレイ５は、複数の客用テーブルが備えられたフロア内に設置された大型の表示装置であり、顧客に対して注文情報を提示するためのものである。店内ディスプレイ５は、店内用表示データおよびランキングデータに基づいた画面を表示する。なお、店内ディスプレイ５は、各客用テーブル上に設置される小型の表示装置で構成しても良い。
【００４７】
図２を参照し、表示データ生成処理について説明する。まず、装着ボード６Ａ（入出力制御部１６）は、印刷データを取得すると（Ｓ０１）、表示データ生成部２１によって印刷データから識別コードおよび１以上の注文情報を抽出する（Ｓ０２）。抽出した１以上の注文情報を識別コードごとに分類する（店内用表示データの生成、Ｓ０３）。さらに、識別コードごとに分類された注文情報を、表示用メモリー１５の調理別テーブルを参照して調理内容別に分類する（キッチン用表示データ（調理別表示データ）の生成、Ｓ０４）。そして、１日に（開店時刻から現在時刻までに）取得した各注文情報の取得回数を集計してランキングデータを生成する（Ｓ０５）。
【００４８】
図３を参照し、キッチンディスプレイ４に対する表示処理について説明する。装着ボード６Ａ（入出力制御部１６）は、キッチン用表示処理部２２によって、キッチン用表示データに含まれる注文情報に対して、取得時間情報を関連付ける（Ｓ１１）。また、注文情報に対して調理終了ボタン３５を関連付ける（Ｓ１２）。そして、キッチン用表示データを調理内容別に各キッチンディスプレイ４ａ，４ｂ，４ｃに出力する（Ｓ１３）。
【００４９】
図４を参照し、店内ディスプレイ５に対する表示処理について説明する。まず、装着ボード６Ａ（入出力制御部１６）は、店内用表示処理部２３によって、店内用表示データに含まれる注文情報に対して、取得時間情報を関連付ける（Ｓ２１）。また、注文状況情報を関連付ける（Ｓ２２）。具体的には、キッチン用表示処理部２２によって調理終了ボタン３５が関連付けられている注文情報に対して「調理中です」を示す注文状況情報を関連付ける。さらに、識別コードに対して調理中品数を関連付ける（Ｓ２３）。具体的には、キッチン用表示処理部２２によって調理終了ボタン３５が関連付けられている注文情報をカウントして調理中品数を算出する。そして、店内用表示データおよびランキングデータを店内ディスプレイ５に出力する（Ｓ２４）。
【００５０】
図５を参照し、各ディスプレイに対する表示終了処理について説明する。装着ボード６Ａ（入出力制御部１６）は、各キッチンディスプレイ４のいずれかから調理終了ボタン３５の操作信号を取得すると（Ｓ３１）、操作信号を取得した調理終了ボタン３５を非表示にする（Ｓ３２）と共に、店内ディスプレイ５に表示している調理状況情報と調理中品数を変更する（Ｓ３３）。調理状況情報について具体的には、調理状況情報を「調理中です」から「調理が終了しました」に変更する。続いて、同じ識別コードに分類されたすべての注文情報に対して調理終了ボタン３５の操作信号を取得すると（Ｓ３４：ＹＥＳ）、当該識別コードに対応するキッチンディスプレイ４および店内ディスプレイ５の表示を消去する（Ｓ３５）。そして、当該識別コードの印刷データをプリンター本体７に出力する（Ｓ３６）。一方、同じ識別コードに分類されたすべての注文情報に対して調理終了ボタン３５の操作信号を取得していない場合は（Ｓ３４：ＮＯ）、Ｓ３１〜Ｓ３４の動作を繰り返す。
【００５１】
図６を参照し、各キッチンディスプレイ４ａ，４ｂ，４ｃに表示する画面について説明する。同図（ａ）は、洋食調理場所に設置されたキッチンディスプレイ４ａに表示される画面の一例であり、同図（ｂ）は、和食調理場所に設置されたキッチンディスプレイ４ｂに表示される画面の一例であり、同図（ｃ）は、中華料理調理場所に設置されたキッチンディスプレイ４ｃに表示される画面の一例である。
【００５２】
各画面は、識別コード表示領域３１、注文情報表示領域３２、取得時間情報表示領域３３および調理終了確認表示領域３４を有している。識別コード表示領域３１には、テーブル番号を示す識別コードが表示される。各キッチンディスプレイ４ａ，４ｂ，４ｃの各注文情報表示領域３２には、「洋食」「和食」「中華」に分類された各注文内容および数量が表示される。取得時間情報表示領域３３には、各注文情報の取得時間および経過時間が表示される。調理終了確認表示領域３４には、調理終了操作するための調理終了ボタン３５が表示される。調理終了ボタン３５は、１度押下操作されると非表示となる。すなわち、図６に示すように、印刷データから抽出された注文情報が、調理内容別に分類されて各キッチンディスプレイ４ａ，４ｂ，４ｃに、表示される。なお、各キッチンディスプレイ４に、調理状況情報をさらに表示させてもよい。
【００５３】
図７は、店内ディスプレイ５に表示される画面の一例である。店内ディスプレイ５には、ランキング表示領域３６、識別コード表示領域３１および注文情報表示領域３２、調理状況表示領域３７が表示される。ランキング表示領域３６には、表示データ生成部２１によって生成したランキングデータに基づいた「本日の人気ランキング」が表示される。識別コード表示領域３１には、テーブル番号を示す識別コードが表示される。注文情報表示領域３２には、識別コードごとにソーティングされた注文内容および数量が表示される。調理状況表示領域３７には、注文内容に対する調理状況情報および識別コードに対する調理中品数が表示される。上記したように、各キッチンディスプレイ４ａ，４ｂ，４ｃの調理終了ボタン３５が押下されると、調理状況情報および調理中品数の表示は変化する。
【００５４】
［第２実施形態］
以下、図８および図９を参照して、本発明の第２実施形態について説明する。本実施形態では、本発明の注文管理装置として、表示装置であるキッチンディスプレイに装着された装着ボードを例示する。なお、以下の説明では、上記の第１実施形態と同様の構成については、同様の符号を付し、詳細な説明を省略する。
【００５５】
図８に示すように、本実施形態に係る注文管理システムＳＹ２は、印刷装置（第１実施形態におけるキッチンプリンター３）を備えておらず、メインキッチンディスプレイ８およびサブキッチンディスプレイ４ａ，４ｂ，４ｃ（第１実施形態におけるキッチンディスプレイ４ａ，４ｂ，４ｃと同様の構成）を備えている。メインキッチンディスプレイ８は、着脱可能に装着された装着ボード６Ｂと、表示装置の機能を成すディスプレイ本体９と、を有している。装着ボード６Ｂは、ディスプレイ本体９にメイン表示データ（第１実施形態でいう店内用表示データ）を出力するためのメインキッチンディスプレイＩ／Ｆ部１７と、サブキッチンディスプレイ４ａ，４ｂ，４ｃに調理別表示データ（第１実施形態でいうキッチン用表示データ）を出力するためのサブディスプレイＩ／Ｆ部１２と、を有している点で、第１実施形態の装着ボード６Ａと異なっている。
【００５６】
メインキッチンディスプレイ８は、例えば、店舗の配膳カウンターに設置され、配膳者が注文情報を確認するためのものである。装着ボード６Ｂ（入出力制御部１６）は、第１実施形態に記述した他に、メイン表示データに含まれた注文情報に対して取得時間情報および調理状況情報を関連付ける。
【００５７】
図９は、メインキッチンディスプレイ８に表示する画面の一例である。メインキッチンディスプレイ８は、識別コード表示領域３１、注文情報表示領域３２、取得時間情報表示領域３３および調理状況表示領域３７を有している。識別コード表示領域３１には、テーブル番号を示す識別コードが表示される。注文情報表示領域３２には、識別コードごとにソーティングされた注文内容および数量が表示される。調理状況表示領域３７には、注文内容に対する調理状況情報が表示される。また、各キッチンディスプレイ４ａ，４ｂ，４ｃの調理終了ボタン３５が押下されると、調理状況情報の表示は、店内ディスプレイ５と同様に変化する。
【００５８】
このように、第２実施形態によれば、注文票を印刷することがないため、ペーパーレスの注文管理システムを実現することができる。また、注文票の印刷にかわって、メインキッチンディスプレイ８に注文情報を表示することによって、配膳者も、注文情報や調理状況を確認することが出来る。なお、装着ボード６Ｂをサブキッチンディスプレイ４ａ，４ｂ，４ｃのいずれかに装着してもよい。
【００５９】
これまで説明してきた本発明の注文管理装置および注文管理システムＳＹ１，ＳＹ２によれば、オーダーコントローラ２の構成を変更することなく、表示装置を追加することができる。また、キッチンディスプレイの操作によって、注文の品に対する調理状況を表示・変更させる、または表示自体を消去させることで、調理者、配膳者、顧客に調理状況を提示できるため、効率的な注文管理を行うことができる。
【００６０】
なお、装着ボード６Ａ，６Ｂは独立した注文管理装置として構成しても良い。また、上記の各実施形態では、各キッチンディスプレイ４がタッチパネル画面を有していたが、別に入力装置を設けて、調理終了ボタン３５の押下操作を行うようにしてもよい。また、経過時間によって調理状況情報を変化させてもよい。例えば、所定時間経過ごとに、調理状況情報の表示色を変化させたり、調理状況情報の文言を変化させてもよい。これによれば、調理者、顧客が一目で経過時間を把握することが出来る。
【００６１】
なお、上記の各実施形態で実行可能な注文管理システムＳＹ１，ＳＹ２の処理工程をプログラムとして提供することが可能である。また、そのプログラムを各種記録媒体（ＣＤ−ＲＯＭ、フラッシュメモリー等）に格納して提供することも可能である。すなわち、コンピューターを、注文管理システムＳＹ１，ＳＹ２の各構成要素として機能させるためのプログラム、およびそれを記録した記録媒体も、本発明の権利範囲に含まれるものである。
【符号の説明】
【００６２】
１：オーダー入力端末  ２：オーダーコントローラ  ３：キッチンプリンター  ４：キッチンディスプレイ  ５：店内ディスプレイ  ６Ａ，６Ｂ：装着ボード  １４：時間計測部  １６：入出力制御部  ２１：表示データ生成部  ２２：キッチン用表示処理部  ２３：店内用表示処理部  ３０：タッチパネル画面  ３５：調理終了ボタン  ＳＹ１，ＳＹ２：注文管理システム
【図１】
2014160511.tif 000003
【図２】
2014160511.tif 000004
【図３】
2014160511.tif 000005
【図４】
2014160511.tif 000006
【図５】
2014160511.tif 000007
【図６】
2014160511.tif 000008
【図７】
2014160511.tif 000009
【図８】
2014160511.tif 000010
【図９】
2014160511.tif 000011
【手続補正書】
【提出日】平成26年6月13日(2014.6.13)
【手続補正１】
【補正対象書類名】特許請求の範囲
【補正対象項目名】全文
【補正方法】変更
【補正の内容】
【特許請求の範囲】
【請求項１】
注文票を印刷するための印刷データを出力する注文受付端末と、
前記注文受付端末から出力された前記印刷データを取得する印刷データ取得部、取得した前記印刷データを出力する印刷データ出力部、当該印刷データ出力部から出力された前記印刷データを印刷するプリンター本体、取得した前記印刷データに基づいて表示データを生成する表示データ生成部、生成した前記表示データを出力する表示データ出力部、を有する印刷装置と、
前記印刷装置に接続され、前記印刷装置の前記表示データ出力部から出力された前記表示データを表示する表示装置と、
を備えることを特徴とする注文管理システム。
【請求項２】
前記注文票は、注文者を識別する識別コードと、注文内容を示す１以上の注文情報と、を含み、
前記表示データ生成部は、取得した前記印刷データから前記識別コードおよび１以上の前記注文情報を抽出して各注文情報を前記識別コードごとに分類して前記表示データを生成する請求項１に記載の注文管理システム。
【請求項３】
前記注文票は、注文内容を示す１以上の注文情報を含み、
前記表示データ生成部は、取得した前記印刷データから１以上の前記注文情報を抽出して前記注文内容ごとに分類して前記表示データを生成する請求項１に記載の注文管理システム。
【請求項４】
前記印刷装置は、前記プリンター本体に装着された装着ボードを含み、
前記印刷データ取得部、前記印刷データ出力部、前記表示データ生成部、前記表示データ出力部は、前記装着ボードに搭載される請求項１ないし３のいずれか１項に記載の注文管理システム。
【請求項５】
前記印刷装置は、前記印刷データ取得部が前記印刷データを取得した取得時刻からの経過時間を計測する時間計測部、及び前記表示装置の表示制御を行う表示制御部を有し、
前記表示制御部は、前記表示データに基づいて表示される各注文情報に、前記取得時刻および前記経過時間を関連付けて表示させる請求項３に記載の注文管理システム。
【請求項６】
前記注文受付端末は、料理の注文を受付けるための端末であり、
前記表示装置は、タッチパネル画面を有するキッチンディスプレイであり、
前記表示制御部は、前記タッチパネル画面に、各注文情報に対して調理終了操作するための調理終了ボタンを関連付けて表示させ、前記表示装置から、前記調理終了ボタンの操作信号を取得した場合、当該調理終了ボタンを非表示にする請求項５に記載の注文管理システム。
【請求項７】
前記注文票は、注文者を識別する識別コードと、当該注文者の注文内容を示す前記１以上の注文情報と、を含み、
前記印刷データ出力部は、同じ注文者が注文したすべての前記注文情報に対して前記調理終了ボタンが押下された場合、当該注文者の識別コードおよび当該注文情報を含んだ前記印刷データを、前記印刷装置に出力する請求項６に記載の注文管理システム。
【請求項８】
前記印刷装置は、前記表示装置の表示制御を行う表示制御部を有し、
前記表示制御部は、各注文情報に対して調理状況を示す調理状況情報を関連付けて前記表示装置に表示させ、各注文情報に対して調理終了を示す操作信号を取得した場合、当該調理状況情報の表示を変化させる請求項２に記載の注文管理システム。
【請求項９】
注文受付端末が、注文票を印刷するための印刷データを印刷装置に出力し、
前記印刷装置が、前記注文受付端末から出力された前記印刷データを取得し、取得した前記印刷データを印刷し、取得した前記印刷データに基づいて表示データを生成し、生成した前記表示データを表示装置に出力し、
前記表示装置が、前記印刷装置から出力された前記表示データを表示することを特徴とする注文管理システムの制御方法。
【手続補正３】
【補正対象書類名】明細書
【補正対象項目名】０００１
【補正方法】変更
【補正の内容】
【０００１】
本発明は、注文情報を管理する注文管理システムおよび注文管理システムの制御方法に関するものである。
【手続補正４】
【補正対象書類名】明細書
【補正対象項目名】０００５
【補正方法】変更
【補正の内容】
【０００５】
本発明は、上記の点に鑑み、注文受付端末を変更することなく、注文情報を表示するための表示装置をシステムに追加することができる注文管理システムおよび注文管理システムの制御方法を提供することを課題とする。
【手続補正５】
【補正対象書類名】明細書
【補正対象項目名】０００６
【補正方法】変更
【補正の内容】
【０００６】
本発明の注文管理システムは、注文票を印刷するための印刷データを出力する注文受付端末と、注文受付端末から出力された印刷データを取得する印刷データ取得部、取得した印刷データを出力する印刷データ出力部、当該印刷データ出力部から出力された印刷データを印刷するプリンター本体、取得した印刷データに基づいて表示データを生成する表示データ生成部、生成した表示データを出力する表示データ出力部、を有する印刷装置と、印刷装置に接続され、印刷装置の表示データ出力部から出力された表示データを表示する表示装置と、を備えることを特徴とする。
本発明の注文管理システムにおいて、注文票は、注文者を識別する識別コードと、注文内容を示す１以上の注文情報と、を含み、表示データ生成部は、取得した印刷データから識別コードおよび１以上の注文情報を抽出して各注文情報を識別コードごとに分類して表示データを生成することが好ましい。
本発明の注文管理システムにおいて、注文票は、注文内容を示す１以上の注文情報を含み、表示データ生成部は、取得した印刷データから１以上の注文情報を抽出して注文内容ごとに分類して表示データを生成することが好ましい。
本発明の注文管理システムにおいて、印刷装置は、プリンター本体に装着された装着ボードを含み、印刷データ取得部、印刷データ出力部、表示データ生成部、表示データ出力部は、装着ボードに搭載されることが好ましい。
本発明の注文管理システムにおいて、印刷装置は、印刷データ取得部が印刷データを取得した取得時刻からの経過時間を計測する時間計測部、及び表示装置の表示制御を行う表示制御部を有し、表示制御部は、表示データに基づいて表示される各注文情報に、取得時刻および経過時間を関連付けて表示させることが好ましい。
本発明の注文管理システムにおいて、注文受付端末は、料理の注文を受付けるための端末であり、表示装置は、タッチパネル画面を有するキッチンディスプレイであり、表示制御部は、タッチパネル画面に、各注文情報に対して調理終了操作するための調理終了ボタンを関連付けて表示させ、表示装置から、調理終了ボタンの操作信号を取得した場合、当該調理終了ボタンを非表示にすることが好ましい。
本発明の注文管理システムにおいて、注文票は、注文者を識別する識別コードと、当該注文者の注文内容を示す１以上の注文情報と、を含み、印刷データ出力部は、同じ注文者が注文した注文情報に対して調理終了ボタンが押下された場合、当該注文者の識別コードおよび当該注文情報を含んだ印刷データを、印刷装置に出力することが好ましい。
本発明の注文管理システムにおいて、印刷装置は、表示装置の表示制御を行う表示制御部を有し、表示制御部は、各注文情報に対して調理状況を示す調理状況情報を関連付けて表示装置に表示させ、各注文情報に対して調理終了を示す操作信号を取得した場合、当該調理状況情報の表示を変化させることが好ましい。
本発明の注文管理システムの制御方法は、注文受付端末が、注文票を印刷するための印刷データを印刷装置に出力し、印刷装置が、注文受付端末から出力された印刷データを取得し、取得した印刷データを印刷し、取得した印刷データに基づいて表示データを生成し、生成した表示データを表示装置に出力し、表示装置が、印刷装置から出力された表示データを表示することを特徴とする。
なお、以下の構成としても良い。
本発明の注文管理装置は、注文受付端末および表示装置に接続されて用いられる注文管理装置であって、注文受付端末から、注文票を印刷するためのデータであって、注文者を識別する識別コードおよび注文内容を示す注文情報を含む印刷データを取得する印刷データ取得部と、取得した印刷データから、識別コードおよび１以上の注文情報を抽出し、各注文情報を識別コードごとに分類して、表示装置に表示するための表示データを生成する表示データ生成部と、生成した表示データを、表示装置に出力する表示データ出力部と、を備えたことを特徴とする。